(57)【特許請求の範囲】
【請求項１】
水路や取水口を横切る除じんスクリーンを、その上端で水平軸心回りに上下方向に回動可能に配設し、該スクリーンの上流側に該スクリーンに支持されかつ除じんスクリーンの上下回動に伴って、スクリーンの先端と上端との間を自重により移動するレーキを装着したことを特徴とする除じん機。
【請求項２】
前記スクリーンの上流側と下流側の水位差を検出する水位差計を配設し、水位差が所定値になると、前記除じんスクリーンを駆動する駆動手段を作動させるようにしたことを特徴とする請求項１に記載の除じん機。
【発明の詳細な説明】
【０００１】
【産業上の利用分野】
本発明は、水路，取水口等に配設される除じん機に関するものである。
【０００２】
【従来の技術】
従来、水路側壁上方に水路を跨いで架設された門形架構と、水路の両側壁対向面に沿って立設されたガイドレールと、このガイドレールに案内されて垂直に昇降されるスクリーンと、各スクリーン昇降装置とからなる簡易式除じん機が提案されている（例えば実公昭６０−３８７２８公報参照）。
【０００３】
【発明が解決しようとする課題】
ところで、上記従来技術では、除じんスクリーンで捕捉しかつ上昇させたごみ類は、その自重により落下させるが、前記スクリーンに引掛っているごみ類が落下しないため、作業者がごみ類をスクリーンから掻き落とさなければならないという問題がある。
【０００４】
本発明は、上述のような実状に鑑みてなされたもので、その目的とするところは、構造が簡単で、スクリーンに掛っているごみ類を、自動的にかつ確実に掻き落として回収することができる除じん機を提供するにある。
【０００５】
【課題を解決するための手段】
本発明では、上記目的を達成するために、次の技術的手段を講じた。即ち、本発明は、水路や取水口を横切る除じんスクリーンを、その上端で水平軸心回りに上下方向に回動可能に配設し、該スクリーンの上流側に該スクリーンに支持されかつ除じんスクリーンの上下回動に伴って、スクリーンの先端と上端との間を自重により移動するレーキを装着したことを特徴としている。
【０００６】
また、本発明は、前記スクリーンの上流側と下流側の水位差を検出する水位差計を配設し、水位差が所定値になると、前記除じんスクリーンを駆動する駆動手段を作動させるようにしたことを特徴としている。
【０００７】
【作用】
本発明によれば、水路の流水中のごみ類を捕捉する場合は、除じんスクリーンを下方に回動させて水路を横切るように配置する。このとき、前記スクリーンに支持されているレーキは、スクリーンの上端（水平軸心側）に位置しているが、スクリーンの回動に伴ってレーキ自重によってスクリーンを案内としてスクリーンの先端（下端）側に移動し、スクリーンの先端が水路底に達するまでに、レーキもスクリーンの先端（下端）に達する。
【０００８】
次に、除じんスクリーンをその上端で水平軸心回りに前側（上流側）から上向き回動させると、ごみ類は除じんスクリーンによりすくい上げられ、該スクリーンの先端が水平軸心、即ちスクリーン上端側よりも上方に位置すると、レーキがその自重によって水平軸心側に移動し、除じんスクリーン上に捕捉されているごみ類が、前記レーキによってスクリーン上端側に掻き集められると共に、スクリーン上端からごみ受シュート等の上に落下し、適宜の手段により回収される。
【０００９】
そこで、再び除じんスクリーンを水中に配置させる場合、該スクリーンを水平軸心回りに下向き回動させる。そして、該スクリーンの先端が上端よりも下方に位置すると、レーキがその自重により徐々にスクリーンに案内されて下降し、スクリーンの先端が水路底に到達するまでの間に、レーキがスクリーン先端に移動する。即ち、レーキは、スクリーンの回動に伴い、スクリーンの先端と上端との間を自重により自動的に移動してスクリーン上のごみ類を掻き落とし、かつ復帰下降する。
【００１０】
【実施例】
以下、本発明の実施例を図面に基づき説明する。
図面において、１は除じんスクリーン（バースクリーン）で、水路２のスラブ天端３上流側端面に取り付けた軸受台４に、水平軸５を介して上端（基端）背面が取り付けられ、該水平軸５を中心としてその上流側を上下方向に回動可能とされ、下降時に水路２を横切るようになっている。
【００１１】
６はスクリーン回動駆動手段で、スラブ天端３上に設置された電動パワーシリンダ７と、該シリンダ７のロッド先端７Ａに水平ピン８を介して連結された第１リンク９と、一端が該第１リンク９に水平ピン１０により連結されると共に他端が前記スクリーン１の横継ぎ材１Ａに固着されたレバー１１に水平ピン１２により連結された第２リンク１３とから成っている。
【００１２】
１４は太陽電池で、その電力により前記電動シリンダ７を駆動するものである。
１５はレーキで、前記スクリーン１の中空角材からなる左右両外側（水路側壁側端）部材１Ｂに形成されたガイドレール１６にローラ（オイルレス形ローラ）１７を介して支持されており、該ガイドレール１６に案内されて、スクリーン１に沿って自重により円滑に移動するようになっている。なお、１８はレーキ爪、１９はレーキパイプである。
【００１３】
２０はごみ受シュートで、スラブ天端３上に配設され、スクリーン１から滑り落ちてくるごみ類を受容し、ごみ溜２１に移送するものである。
２２，２３は水位測定筒で、下部に水路１の水を導入するスクリーン付取水口２４，２５が設けられ、各水位測定筒２２，２３内にフロート２６，２７が設けられ、上流側フロート２６と下流側フロート２７がワイヤロープ２８により連結され、該ロープ２８は各筒２２，２３上部で水位差計２９のドラム３０及び滑車３１に巻掛けられている。
【００１４】
そして、スクリーン１の上流側と下流側の水位差が設定値に達すると、水位差計２９の出力信号により、電動パワーシリンダ７の始動スイッチ（図示省略）が作動されるようになっている。
【００１５】
なお、前記除じん機は、図５に示すように、水路２の上・下流に所定の間隔で配設され、上流側スクリーン１が上昇するときはその直前に下流側のスクリーン１が下降して水路２を横切り、下流側スクリーン１が上昇するときは、その直前までに上流側スクリーン１が下降して水路２を横切り、ごみ類が下流に流過しないようにするのが好ましい。
【００１６】
本発明の上記実施例において、水路２の流水中のごみ類を捕捉する場合は、まず、駆動手段６によりスクリーン１を下方に回動させて水路２を横切り、図１，図２に示す状態にする。このとき、レーキ１５はスクリーン１の先端までその自重により下降し再下端位置にある。
【００１７】
ごみ類がスクリーン１により補足されると、スクリーン１の上・下流の水位差が水位差計２９により検出され、設定水位差に達すると駆動手段６の電動パワーシリンダ７のスイッチが自動的に入り、スクリーン１が駆動手段６により水平軸５回りに上流側を上向きに回動する。
【００１８】
スクリーン１の上向き回動により、ごみ類がスクリーン１によりすくい上げられ、スクリーン１の先端が水平軸５即ちスクリーン１の基端（上端）よりも上方に位置すると、ごみ類が自重により落下すると共に、レーキ１５がその自重によってスクリーン１基端に向かってガイドレール１６に案内されて移動し、スクリーン１上に捕捉されているごみ類が、レーキ１５により掻き落とされ、ごみ受シュート２０上に落下し、ごみ溜２１に搬送される。
【００１９】
そこで、再びスクリーン１を水中に配置する場合は、スクリーン１の駆動手段６をタイマー等により自動的に運転して、スクリーン１をその水平軸５回りに下向きに回動させる。そして、スクリーン１の先端が基端よりも下方に位置すると、レーキ１５がその自重により徐々にスクリーン１のガイドレール１６に案内されて下降し、スクリーン１の先端が下降限に到達するまでの間に、レーキ１５がスクリーン先端に移動する。
【００２０】
即ち、本発明の上記実施例によれば、スクリーン１の回動に伴い、レーキ１５がその自重により自動的にスクリーン１のガイドレール１６に案内されて円滑に往復移動し、スクリーン１上のごみ類が確実に掻き落とし、ごみ受シュート２０上に落下させて回収することができる。また、図５に示すように、上・下流に任意の間隔で本発明除じん機を配設することにより、下流にごみ類を流過させることなく、確実に回収することができる。
【００２１】
本発明は、上記実施例に限定されるものではなく、例えば、駆動手段６は太陽電池以外の風力、水力を利用した自然エネルギーを利用するもののほか、商用電力或いはディーゼル発電機等の電力により駆動することができ、さらに、手動ウインチ即ちワイヤ巻胴式手動昇降装置等を採用するなど、適宜設計変更することができる。
【００２２】
【発明の効果】
本発明は、上述のように、水路や取水口を横切る除じんスクリーンを、その上端で水平軸心回りに上下方向に回動可能に配設し、該スクリーンの上流側に該スクリーンに支持されかつ除じんスクリーンの上下回動に伴って、スクリーンの先端と上端との間を自重により移動するレーキを装着したことを特徴とするものであるから、構造が至極簡単でかつ動作が確実で、スクリーンに掛っているごみ類を自動的に掻き落として回収でき、経済的に得られるほか、メンテナンスも簡単である。
【００２３】
また、本発明は、前記スクリーンの上流側と下流側の水位差を検出する水位差計を配設し、水位差が所定値になると駆動手段を作動させるようにしたことを特徴とするものであるから、除じん作業を自動的に行うことができ、省人化することが可能であり、運転コスト低下を図ることができる。
【図面の簡単な説明】
【図１】本発明の実施例を示す縦断側面図である。
【図２】図１の上平面図である。
【図３】同実施例におけるレーキ装着構造を示す縦断側面図である。
【図４】図３の一部省略上平面図である。
【図５】同実施例の配設例を示す概略平面図である。
【符号の説明】
１  除じんスクリーン
２  水路
５  水平軸
６  駆動手段
７  パワーシリンダ
９  第１リンク
１３  第２リンク
１５  レーキ
２９  水位差計
【図１】
0003602200.tif 000002
【図２】
0003602200.tif 000003
【図３】
0003602200.tif 000004
【図４】
0003602200.tif 000005
【図５】
0003602200.tif 000006